(57)【要約】【課題】複数種類の粒子群のうち何れかの予め定めた粒子群の色を単色で表示する場合に、予め定めた粒子群の色を飽和濃度で表示するための電圧を印加する場合と比較して、混色を防止することができる。【解決手段】表示媒体の駆動装置は、一対の基板と、前記一対の基板間に形成された電界に応じて前記基板間を移動するように前記基板間に封入された種類毎に色が異なり且つ少なくとも２種類が同極性に帯電された複数種類の粒子群と、を有する表示媒体に対して、前記複数種類の粒子群のうち何れかの予め定めた粒子群の色を単色で表示する場合、当該単色を飽和濃度で表示するための電界を発生させる電圧未満の電圧であって、前記複数種類の粒子群のうち前記予め定めた粒子群とは異なる粒子群の色と混色が発生しない電界を発生させる電圧を前記基板間に印加する電圧印加手段を備える。【選択図】図１
2013250406.tif 000002
【特許請求の範囲】
【請求項１】
一対の基板と、前記一対の基板間に形成された電界に応じて前記基板間を移動するように前記基板間に封入された種類毎に色が異なり且つ少なくとも２種類が同極性に帯電された複数種類の粒子群と、を有する表示媒体に対して、
前記複数種類の粒子群のうち何れかの予め定めた粒子群の色を単色で表示する場合、当該単色を飽和濃度で表示するための電界を発生させる電圧未満の電圧であって、前記複数種類の粒子群のうち前記予め定めた粒子群とは異なる粒子群の色と混色が発生しない電界を発生させる電圧を前記基板間に印加する印加手段
を備えた表示媒体の駆動装置。
【請求項２】
一対の基板と、前記一対の基板間に形成された電界に応じて前記基板間を移動するように前記基板間に封入された種類毎に色が異なり且つ少なくとも２種類が同極性に帯電された複数種類の粒子群と、を有する表示媒体に対して、
前記複数種類の粒子群のうち何れかの予め定めた粒子群の色を単色で表示する場合、当該粒子群の次に飽和濃度を表示するための電界を発生させる電圧が大きい粒子群の移動開始電圧未満の電圧を前記基板間に印加する印加手段
を備えた表示媒体の駆動装置。
【請求項３】
前記電圧印加手段は、前記複数種類の粒子群のうち２種類以上の粒子群の色の混色を表示する場合、当該２種類以上の粒子群の色の各々を飽和濃度で表示するための電界を発生させる電圧を前記基板間に印加する
請求項１又は請求項２記載の表示媒体の駆動装置。
【請求項４】
前記印加手段は、前記何れかの予め定めた粒子群の次に飽和濃度を表示するための電界を発生させる電圧が大きい前記粒子群を単色で表示させる場合に、当該粒子群の色と前記何れかの予め定めた粒子群の色との混色を表示する電界を発生させる電圧を印加した後、前記何れかの予め定めた粒子群を飽和濃度で表示するための電界を発生させる電圧である飽和電圧以上の電圧を、前記混色を表示する電界を発生させる電圧とは逆極性で印加する
請求項１〜請求項３の何れか１項に記載の表示媒体の駆動装置。
【請求項５】
前記表示媒体は、前記一対の基板間に封入され、前記複数種類の粒子群の色と異なる分散媒
を備えた請求項１〜請求項４の何れか１項に記載の表示媒体の駆動装置。
【請求項６】
コンピュータを、請求項１〜請求項５の何れか１項に記載の表示媒体の駆動装置を構成する印加手段として機能させるための表示媒体の駆動プログラム。
【請求項７】
一対の基板と、前記一対の基板間に形成された電界に応じて前記基板間を移動するように前記基板間に封入された色が異なり且つ同極性に帯電された複数種類の粒子群と、を有する表示媒体と、
請求項１〜請求項５の何れか１項に記載の表示媒体の駆動装置と、
を備えた表示装置。
【発明の詳細な説明】
【技術分野】
【０００１】
本発明は、表示媒体の駆動装置、駆動プログラム、及び表示装置に関する。
【背景技術】
【０００２】
特許文献１には、第１電極と、第２電極と、前記第１電極と前記第２電極との間に封入された液体と、を含み、前記液体には、前記第１電極と前記第２電極との間に引加された電圧によって移動する複数の種類の帯電粒子が分散されており、前記複数の種類の帯電粒子は、第１色粒子、第２色粒子および第３色粒子を含み、前記第１および第２色粒子は、帯電符号が同じであり、前記第３色粒子は、前記第１および第２色粒子と帯電符号が逆であり、前記第１色粒子の駆動電圧は第１電圧であり、前記第２色粒子の駆動電圧は、前記第１電圧より大きい第２電圧であることを特徴とする電気光学装置が開示されている。
【０００３】
特許文献２には、電気泳動粒子を含有する分散媒を共通電極と画素電極との間に介在させてなる電気泳動表示素子を有する電気泳動表示装置であって、前記共通電極と前記画素電極との間に電圧を印加して前記電気泳動表示素子を駆動する駆動手段と、前記駆動手段を制御する制御手段とを備え、前記電気泳動表示素子の表示を書き換えるための画像書き換え期間は、リセット期間と画像信号導入期間とを含み、前記画像信号導入期間において、前記電気泳動表示素子を第１のデータ入力パルス及び第２のデータ入力パルスで駆動することを特徴とする電気泳動表示装置が開示されている。
【先行技術文献】
【特許文献】
【０００４】
【特許文献１】特開２００９−２５１０３２号公報
【特許文献２】特開２００７−３１６５９４号公報
【発明の概要】
【発明が解決しようとする課題】
【０００５】
本発明は、複数種類の粒子群のうち何れかの予め定めた粒子群の色を単色で表示する場合に、混色を防止することができる表示媒体の駆動装置、駆動プログラム、及び表示装置を提供することを目的とする。
【課題を解決するための手段】
【０００６】
請求項１記載の発明の表示媒体の駆動装置は、一対の基板と、前記一対の基板間に形成された電界に応じて前記基板間を移動するように前記基板間に封入された種類毎に色が異なり且つ少なくとも２種類が同極性に帯電された複数種類の粒子群と、を有する表示媒体に対して、前記複数種類の粒子群のうち何れかの予め定めた粒子群の色を単色で表示する場合、当該単色を飽和濃度で表示するための電界を発生させる電圧未満の電圧であって、前記複数種類の粒子群のうち前記予め定めた粒子群とは異なる他の粒子群の色と混色が発生しない電界を発生させる電圧を前記基板間に印加する印加手段を備える。
【０００７】
請求項２記載の発明は、一対の基板と、前記一対の基板間に形成された電界に応じて前記基板間を移動するように前記基板間に封入された種類毎に色が異なり且つ少なくとも２種類が同極性に帯電された複数種類の粒子群と、を有する表示媒体に対して、前記複数種類の粒子群のうち何れかの予め定めた粒子群の色を単色で表示する場合、当該粒子群の次に飽和濃度を表示するための電界を発生させる電圧が大きい粒子群の移動開始電圧未満の電圧を前記基板間に印加する印加手段を備える。
【０００８】
請求項３記載の発明は、前記電圧印加手段は、前記複数種類の粒子群のうち２種類以上の粒子群の色の混色を表示する場合、当該２種類以上の粒子群の色の各々を飽和濃度で表示するための電界を発生させる電圧を前記基板間に印加する。
【０００９】
請求項４記載の発明は、前記印加手段は、前記何れかの予め定めた粒子群の次に飽和濃度を表示するための電界を発生させる電圧が大きい前記粒子群を単色で表示させる場合に、当該粒子群の色と前記何れかの予め定めた粒子群の色との混色を表示する電界を発生させる電圧を印加した後、前記何れかの予め定めた粒子群を飽和濃度で表示するための電界を発生させる電圧である飽和電圧以上の電圧を、前記混色を表示する電界を発生させる電圧とは逆極性で印加する。
【００１０】
請求項５記載の発明は、前記表示媒体は、前記一対の基板間に封入され、前記複数種類の粒子群の色と異なる分散媒を備える。
【００１１】
請求項６記載の発明の表示媒体の駆動装プログラムは、コンピュータを、請求項１〜請求項５の何れか１項に記載の表示媒体の駆動装置を構成する印加手段として機能させる。
【００１２】
請求項７記載の発明の表示装置は、一対の基板と、前記一対の基板間に形成された電界に応じて前記基板間を移動するように前記基板間に封入された色が異なり且つ同極性に帯電された複数種類の粒子群と、を有する表示媒体と、請求項１〜請求項５の何れか１項に記載の表示媒体の駆動装置と、を備える。
【発明の効果】
【００１３】
請求項１、２、６、７の発明によれば、複数種類の粒子群のうち何れかの予め定めた粒子群の色を単色で表示する場合に、予め定めた粒子群の色を飽和濃度で表示するための電圧を印加する場合と比較して、混色を防止することができる、という効果を有する。
【００１４】
請求項３の発明によれば、複数種類の粒子群のうち２種類以上の粒子群の混色を表示する場合に、当該２種類以上の粒子群の色の各々を飽和濃度で表示するための電圧未満の電圧を印加する場合と比較して、混色の表示濃度を高くすることができる、という効果を有する。
【００１５】
請求項４の発明によれば、飽和濃度で表示するための電圧が最も低い粒子群以外の粒子群の色を単色で表示する場合に、当該粒子群の色を飽和濃度で表示するための電圧を印加する場合と比較して、混色を防止することができる、という効果を有する。
【００１６】
請求項５の発明によれば、表示基板と背面基板との基板間を空間にした場合と比較して、粒子の泳動性を高めることができる、という効果を有する。
【図面の簡単な説明】
【００１７】
【図１】（Ａ）は表示装置の概略構成図、（Ｂ）は制御部をコンピュータで構成した場合のブロック図である。
【図２】各泳動粒子の電圧印加特性を示す図である。
【図３】制御部で実行される処理のフローチャートである。
【図４】電圧印加する際の電圧印加シーケンスについて説明するための図である。
【図５】電圧印加に応じた泳動粒子の挙動を示す概略図である。
【図６】電圧印加する際の電圧印加シーケンスについて説明するための図である。
【図７】電圧印加に応じた泳動粒子の挙動を示す概略図である。
【図８】電圧印加する際の電圧印加シーケンスについて説明するための図である。
【図９】電圧印加に応じた泳動粒子の挙動を示す概略図である。
【図１０】粒子径が異なる表示媒体を用いた場合における電圧印加に応じた泳動粒子の挙動を示す概略図である。
【発明を実施するための形態】
【００１８】
以下、本発明の実施形態について図面を参照しつつ説明する。作用・機能が同じ働きを担う部材には、全図面を通して同じ符合を付与し、重複する説明を省略する場合がある。また、説明を簡易化するために、適宜１つのセルに注目した図を用いて本実施形態を説明する。
【００１９】
また、赤色の粒子を赤粒子Ｒ、赤と補色の関係にあるシアン色の粒子をシアン粒子Ｃと記し、各粒子とその粒子群は同じ記号（符号）によって示す。
【００２０】
図１（Ａ）は、本実施形態に係る表示装置を概略的に示している。この表示装置１００は、表示媒体１０と、表示媒体１０を駆動する駆動装置２０と、を備えている。駆動装置２０は、表示媒体１０の表示側電極３、背面側電極４間に電圧を印加する電圧印加部３０と、表示媒体１０に表示させる画像の画像情報に応じて電圧印加部３０を制御する制御部４０と、を含んで構成されている。なお、表示側電極３及び背面側電極４は、表示基板１及び背面基板２に設けず、外部電極としてもよい。
【００２１】
表示媒体１０は、画像表示面とされる、透光性を有する表示基板１と、非表示面とされる背面基板２と、が間隙を持って対向して配置されている。また、これら一対の基板１、２間を定められた間隔に保持すると共に、当該基板間を複数のセルに区画する間隙部材５が設けられている。
【００２２】
上記セルとは、背面側電極４が設けられた背面基板２と、表示側電極３が設けられた表示基板１と、間隙部材５と、によって囲まれた領域を示している。セル中には、例えば絶縁性液体で構成された分散媒６と、分散媒６中に分散された第１粒子群１１、第２粒子群１２、及び白色粒子群１３が封入されている。これら粒子群や分散媒６を封入するセルは、粒子の表示面内の偏りを生じさせないものであればこの形状に限定されず、例えばマイクロカプセルに封入されたものであっても構わない。
【００２３】
第１粒子群１１と第２粒子群１２は、色が異なり且つ同一極性に帯電され、一対の電極３、４間に予め定めた閾値電界以上の電界を発生させる電圧を印加することにより、第１粒子群１１及び第２粒子群１２がそれぞれ単独で泳動する特性を有している。一方、白色粒子群１３は、第１粒子群１１、第２粒子群１２よりも帯電量が少なく、第１粒子群１１、第２粒子群１２が何れか一方の電極側まで移動する電界を発生させる電圧が電極間に印加されても、何れの電極側まで移動しない粒子群である。
【００２４】
なお、白色粒子群１３を用いるのではなく、分散媒６に着色剤を混合することで、白色を表示させてもよい。あるいは、第１粒子群１１や第２粒子群１２が通過可能な白色部材を用いてもよく、この白色部材は、不織布や多孔質体、あるいは第１粒子群１１や第２粒子群１２の粒子径より十分に大きな粒子径の多数の白色粒子を封入してもよい。
【００２５】
本実施形態では、第１粒子１１は、シアンの色彩を有する正帯電の電気泳動粒子（シアン粒子Ｃ）であり、第２粒子１２は、シアンの補色である赤の色彩を有する正帯電の電気泳動粒子（赤粒子Ｒ）である場合について説明するが、これに限定されない。各粒子の色や粒径は適宜設定すればよい。また、以下の説明で印加する電圧の電圧値も一例であって、これに限定されず、各粒子の帯電極性、粒径、応答性、電極間の距離等に応じて適宜設定すればよい。
【００２６】
駆動装置２０（電圧印加部３０及び制御部４０）は、表示媒体１０の表示側電極３、背面側電極４間に表示させる色に応じた電圧を印加することにより、粒子群１１、１２を泳動させ、それぞれの帯電極性に応じて表示基板１、背面基板２の何れか一方に引き付ける。
【００２７】
電圧印加部３０は、表示側電極３及び背面側電極４にそれぞれ電気的に接続されている。また、電圧印加部３０は、制御部４０に信号授受されるように接続されている。
【００２８】
制御部４０は、図１（Ｂ）に示すように、例えばコンピュータ４０として構成される。コンピュータ４０は、ＣＰＵ（Ｃｅｎｔｒａｌ  Ｐｒｏｃｅｓｓｉｎｇ  Ｕｎｉｔ）４０Ａ、ＲＯＭ（Ｒｅａｄ  Ｏｎｌｙ  Ｍｅｍｏｒｙ）４０Ｂ、ＲＡＭ（Ｒａｎｄｏｍ  Ａｃｃｅｓｓ  Ｍｅｍｏｒｙ）４０Ｃ、不揮発性メモリ４０Ｄ、及び入出力インターフェース（Ｉ／Ｏ）４０Ｅがバス４０Ｆを介して各々接続された構成であり、Ｉ／Ｏ４０Ｅには電圧印加部３０が接続されている。この場合、後述する各色の表示に必要な電圧の印加を電圧印加部３０に指示する処理をコンピュータ４０に実行させるプログラムを、例えば不揮発性メモリ４０Ｄに書き込んでおき、これをＣＰＵ４０Ａが読み込んで実行させる。なお、プログラムは、ＣＤ−ＲＯＭ等の記録媒体により提供するようにしてもよい。
【００２９】
電圧印加部３０は、表示側電極３及び背面側電極４に電圧を印加するための電圧印加装置であり、制御部４０の制御に応じた電圧を表示側電極３及び背面側電極４に印加する。
【００３０】
本実施形態では、一例として表示側電極３を接地し、背面側電極４に電圧を印加する場合について説明する。
【００３１】
図２には、本実施形態に係る表示装置１００において、正に帯電されたシアン粒子Ｃ、正に帯電された赤粒子Ｒを表示基板１側、背面基板２側に移動させるために必要な印加電圧の特性を示した。図２では、シアン粒子Ｃの印加電圧特性を特性５０Ｃ、赤粒子Ｒの印加電圧特性を特性５０Ｒで表わしている。また、図２は、表示側電極３をグランド（０Ｖ）として背面側電極４に印加された電圧と、各粒子群による表示濃度との関係を示したものである。
【００３２】
図２に示すように、背面基板２側のシアン粒子Ｃが表示基板１側へ移動開始する電界を発生させるための移動開始電圧（閾値電圧）は＋Ｖｃであり、表示基板１側のシアン粒子Ｃが背面基板２側へ移動開始する電界を発生させるための移動開始電圧（閾値電圧）は−Ｖｃである。ここで、移動開始電圧とは、背面基板２又は表示基板１側に存在する粒子群が、対向する基板に向かって移動を開始する電界を発生させるための電圧のことをいう。従って、＋Ｖｃ以上の電圧を印加することで背面基板２側のシアン粒子Ｃが表示基板１側へ移動し、−Ｖｃ以下の電圧を印加することで表示基板１側のシアン粒子Ｃが背面基板２側へ移動する。
【００３３】
そして、背面基板２側から表示基板１側へ移動させるシアン粒子Ｃの粒子量は、例えば印加する電圧のパルス幅（電圧印加時間）を同一にした場合には、印加する電圧の電圧値を変えることで制御される（電圧値変調）。例えば、背面基板２側から表示基板１側へ移動させるシアン粒子Ｃの粒子量を制御する場合、印加する電圧のパルス幅は同一で、電圧値を＋Ｖｃ以上の任意の電圧値とすることにより、その電圧値に応じた粒子量のシアン粒子Ｃを表示基板１側へ移動させられ、表示基板１側に位置したシアン粒子Ｃの粒子量に従ってＣ色が表示される。これにより、シアン粒子Ｃの階調表示が制御される。表示基板１側のシアン粒子Ｃを背面基板２側へ移動させる場合の粒子量についても同様である。
【００３４】
また、背面基板２側の赤粒子Ｒが表示基板１側へ移動開始する電界を発生させるための移動開始電圧（閾値電圧）は＋Ｖｒであり、表示基板１側の赤粒子Ｒが背面基板２側へ移動開始する移動開始電圧は−Ｖｒである。従って、＋Ｖｒ以上の電圧を印加することで背面基板２側の赤粒子Ｒが表示基板１側へ移動し、−Ｖｒ以下の電圧を印加することで表示基板１側の赤粒子Ｒが背面基板２側へ移動する。なお、図２に示すように、｜Ｖｃ｜＞｜Ｖｒ｜であり、赤粒子Ｒの移動開始電圧（閾値電圧）の電圧値の絶対値よりもシアン粒子Ｃの移動開始電圧（閾値電圧）の電圧値の絶対値の方が大きい。粒子の移動開始電圧（閾値電圧）は、例えば、粒子材料や粒子の表面被覆材料、添加剤、粒子径、粒子の表面形状、表面積などを変えて、粒子の帯電量を制御することで、基板表面への付着力や、電界から受ける静電力を制御することで調整できる。あるいは、粒子表面材料や、基板表面材料の帯電により生ずる静電引力や、ファンデルワールス力などを利用して調整することもできる。
【００３５】
そして、背面基板２側から表示基板１側へ移動させる赤粒子Ｒの粒子量、表示基板１側から背面基板２側へ移動させる赤粒子Ｒの粒子量は、前述したシアン粒子Ｃの場合と同様に、例えば印加する電圧のパルス幅を同一にした場合には、印加する電圧の電圧値によって制御される。
【００３６】
なお、印加する電圧の電圧値を同一にして、パルス幅を変えることで移動する粒子の粒子量を制御し、階調表示を制御するようにしてもよい（パルス幅変調）。例えば、背面基板２側から表示基板１側へ移動させるシアン粒子Ｃの粒子量を制御する場合において、印加する電圧の電圧値を＋Ｖｃ以上の予め定めた電圧値とした場合、そのパルス幅が長くなるに従って表示基板１側へ移動するシアン粒子Ｃの粒子量が多くなる。従って、電圧値を固定にして、パルス幅を階調に応じた長さのパルス幅とすることにより、シアン粒子Ｃの階調表示が制御される。本実施形態では、一例として、電圧値変調により、移動する粒子の粒子量を制御する場合について説明する。
【００３７】
ところで、通常の粒子は、粒子径や形状の分布を有したり、材料組成のばらつきなどにより帯電量が全ての粒子で均一ではなく、図２に示すように、全ての赤粒子Ｒが表示基板１側へ移動する電圧、すなわち赤を飽和濃度で表示するための電界を発生させる飽和電圧＋Ｖｒ２は、シアン粒子Ｃの移動開始電圧＋Ｖｃよりも大きくなることがある。このため、背面基板２側に全てのシアン粒子Ｃ及び赤粒子Ｒを移動させた状態（白表示状態）から、赤を単色の飽和濃度で表示させるべく飽和電圧＋Ｖｒ２を印加した場合、一部のシアン粒子Ｃが表示基板１側へ移動してしまうため混色が発生してしまい、赤表示が劣化する場合がある。
【００３８】
そこで、本実施形態では、赤を単色で表示する場合、飽和電圧＋Ｖｒ２未満の電圧であって、シアンとの混色が発生しない範囲の電圧、すなわちシアン粒子Ｃの移動開始電圧＋Ｖｃ未満の電圧を印加する。これにより、一部の赤粒子Ｒが背面基板２側に残るものの、一部のシアン粒子Ｃが表示基板１側に移動するのが抑制され、混色が発生するのが抑制される。
【００３９】
次に、本実施形態の作用として、制御部４０のＣＰＵ４０Ａで実行される制御について図３に示すフローチャートを参照して説明する。
【００４０】
まず、ステップＳ１０では、表示媒体１００に表示させるべき画像の画像情報を例えばＩ／Ｏ４０Ｅを介して図示しない外部装置から取得する。
【００４１】
ステップ１２では、図４に示すようにリセット電圧−ＶＲを印加するように電圧印加部３０に指示する。ここでは、リセット電圧−ＶＲは、全てのシアン粒子Ｃ及び赤粒子Ｒを背面基板２側へ移動させるための電圧である。すなわち、図４に示すように、リセット電圧−ＶＲは、シアン粒子Ｃが飽和濃度となる電界を生じさせる電圧−Ｖｃ２よりも低い電圧（電圧値の絶対値が高い電圧）である。このため、リセット用電圧−ＶＲが背面側電極４に印加されると、背面基板２側へ全てのシアン粒子Ｃ及び赤粒子Ｒが移動して付着する。これにより、図５（Ａ）に示すように、表示基板１側からは白色粒子１３による白色が表示される。なお、図５では、電極及び間隙部材の図示は省略している。図７、９においても同様である。
【００４２】
ステップＳ１４では、取得した画像情報に基づいて、背面側電極４に印加すべき表示色電圧を決定し、電圧印加部３０に指示する。電圧印加部３０は、制御部４０から指示された表示色電圧を背面側電極４に印加する。
【００４３】
この表示色電圧は、表示媒体１００に表示すべき色の階調に応じた電圧である。例えば赤単色の階調表示を行う場合には、図４に示すように、表示色電圧は、赤粒子Ｒの移動開始電圧である＋Ｖｒよりも高く、且つ、シアン粒子Ｃと混色が発生しない電圧である＋Ｖｃ未満の電圧＋Ｖ１である。そして、＋Ｖ１の電圧値は、表示すべき赤色の階調（濃度）に応じた電圧値である。なお、電圧値は同一で、パルス幅によって階調制御してもよい。
【００４４】
従って、赤色を例えば最大階調で表示する場合であっても、表示色電圧＋Ｖ１は、シアン粒子Ｃと混色が発生しない電圧＋Ｖｃ未満の電圧であるので、図５（Ｂ）に示すように、一部の赤粒子Ｒは背面基板２側に残るものの、全てのシアン粒子Ｃは背面基板２側に残ったままとなるので、赤色表示が劣化するのが抑えられる。
【００４５】
また、シアンと赤の２次色である黒色の表示を行う場合には、図６に示すように、表示色電圧は、全てのシアン粒子Ｃ及び赤粒子Ｒが表示基板１側へ移動する電圧＋Ｖｃ２よりも高い電圧＋Ｖ３である。従って、黒色を表示する場合は、図７に示すように、全てのシアン粒子Ｃ及び赤粒子Ｒが表示基板１側へ移動し、シアン及び赤が飽和濃度で表示されるので、黒色の濃度が低下するのが抑えられる。２種類以上の粒子を用いたカラー表示で、混色を防止するためには、各色の粒子量を少なくして、電圧に応じた表示特性の重なり部分を少なくすることも有効であるが、その場合には、２次色の彩度が低くなったり、十分な粒子量がないため、階調数が少なくなったりすることがあるが、本実施形態によれば、そのような課題を解決できる。
【００４６】
また特に、補色による２次色や、後述する３色の粒子による３次色である黒色を表示する場合には、粒子量のバランスが崩れたり、粒子の偏りを生じたりすると、表示された黒色が、表示面に多く分布した粒子の色を帯びて見えてしまう。例えば、赤粒子やマゼンタ粒子が多く分布した領域では赤味を帯びた黒となってしまい、表示の品質が低下する。本実施形態によれば、２次色、３次色の色バランスが無彩色からやや偏ったとしても、粒子量が十分にあれば濃度が高くなり、視感度的には十分な黒として認識され、表示の品質が高くなる。
【００４７】
また、本実施形態では、混色を良好に表示するために粒子を透明に近いものにする、あるいは粒子径を小さくすることが望ましい。これにより、３粒子以上の色を用いる場合には、２次色の彩度を高くすることが可能になる。また、各粒子の飽和濃度未満で各粒子の表示彩度を十分に高くするには、粒子に含まれる色材の量や、分散性を十分に高くする。これにより、粒子の発色性が高くなる。
【００４８】
また、シアン単色の階調表示を行う場合には、図７に示す黒表示の状態から、階調に応じた粒子量のシアン粒子Ｃを表示基板１側に残し、その他のシアン粒子Ｃ及び全ての赤粒子Ｒを背面基板２側に移動させる。従って、シアン単色の階調表示を行う場合には、図８に示すように、全ての赤粒子Ｒを背面基板２側へ移動させるための電圧−Ｖｒ２よりも低い電圧−Ｖ２を背面側電極４に印加する。そして、−Ｖ２の電圧値は、表示すべきシアン色の階調（濃度）に応じた電圧値である。なお、電圧値は同一で、パルス幅によって階調制御してもよい。
【００４９】
従って、シアン色を例えば最大階調で表示する場合であっても、表示色電圧−Ｖ２は、赤粒子Ｒと混色が発生しない電圧−Ｖｒ２未満の電圧であるので、図９に示すように、一部のシアン粒子Ｃは背面基板２側に移動するものの、全ての赤粒子Ｒは背面基板２側に移動するので、シアン色表示が劣化するのが抑えられる。
【００５０】
以上、本実施形態に係る表示装置について説明したが、本発明は上記実施形態に限定されない。
【００５１】
例えば、泳動しない粒子群として白色粒子群を用いた場合について説明したが、これに限らず、第１粒子群１１及び第２粒子群１２と異なる色であれば、例えば黒色の粒子群を用いてもよい。
【００５２】
また、本実施形態では、泳動する着色粒子群として同極性の２種類の色の粒子群を用いた場合について説明したが、同極性の３種類以上の色（例えばシアン、マゼンタ、イエロー等）の粒子群を用いてもよい。
【００５３】
また、本実施形態では、シアン粒子Ｃと赤粒子Ｒの粒径が同一の場合について説明したが、粒径が異なる複数種類の粒子群を用いてもよい。
【００５４】
特に、図１０（Ａ）、（Ｂ）に示すように（動作は図５に示す実施形態と同様）、粒子の移動開始電圧（閾値電圧）を異ならせるために粒子群の粒子径を異ならせると、粒径の大きい粒子ほど帯電量が大きくなり、移動開始電圧（閾値電圧）が小さくなると共に、表示のための電界から受ける静電力が大きいため、表裏の基板間の移動速度も速くなる。このため、閾値の重なりから生じる混色の程度が小さくなり、表示色の彩度がより高くなると共に、総じて表示に要する時間が短くなる。この場合、粒径の大きい粒子は透明性を有する方が、２次色の彩度が高くなるのでより好ましい。
【００５５】
ちなみに、本実施形態において移動開始電圧（閾値電圧）の測定は、測定対象の色の粒子群を封入した表示媒体１０に対して様々な電圧を印加し、分光器によって測定対象の粒子群の色の波長の反射光の強度、すなわち濃度を測定することにより行う。例えばシアンの波長は約５００ｎｍなので、シアン粒子Ｃの濃度と印加電圧との関係を測定する場合は、この波長の反射光の強度を分光器によって測定する。また、赤粒子Ｒの波長は約６５０ｎｍなので、赤粒子Ｒの濃度と印加電圧との関係を測定する場合は、この波長の反射光の強度を分光器によって測定する。そして、最大濃度に対して例えば５％以下の濃度（反射光の強度）が測定される電圧を移動開始電圧（閾値電圧）として規定し、最大濃度に対して例えば９５％以上の濃度を飽和濃度と規定し、飽和濃度が測定される電圧を飽和電圧と規定する。
【００５６】
また、本実施形態では、基板間に分散媒を封入した構成の表示媒体を用いた場合について説明したが、基板間を空間（気体）とした表示媒体を用いてもよい。
【００５７】
なお、本実施形態で説明した表示装置２０の構成（図１参照）は一例であり、本発明の主旨を逸脱しない範囲内において不要な部分を削除したり、新たな部分を追加したりしてもよいことは言うまでもない。
【符号の説明】
【００５８】
１ 表示基板
２ 背面基板
３ 表示側電極
４ 背面側電極
５ 間隙部材
６ 分散媒
１０ 表示媒体
１１  第１泳動粒子（群）
１２  第２泳動粒子（群）
１３ 白色粒子（群）
２０ 表示媒体
３０ 電圧印加部
４０ 制御部
１００ 表示装置
Ｃ シアン粒子（群）
Ｒ 赤粒子（群）
【図１】
2013250406.tif 000003
【図２】
2013250406.tif 000004
【図３】
2013250406.tif 000005
【図４】
2013250406.tif 000006
【図５】
2013250406.tif 000007
【図６】
2013250406.tif 000008
【図７】
2013250406.tif 000009
【図８】
2013250406.tif 000010
【図９】
2013250406.tif 000011
【図１０】
2013250406.tif 000012